(57)【要約】      （修正有）【課題】ヒューマンエラーによる労災事故発生を抑制する。【解決手段】現場でのパトロールの実施中に収集された点検データを用いて、報告資料の作成を支援する安全管理支援システムＳである。点検データが入力される携帯１と、携帯１で収集された点検データが、携帯１から転送されるクライアント３と、ネットワーク４を介して、点検データが蓄積され、蓄積された点検データに基づいて、現場に関係する組織の点検データを管理するサーバ５と、を備える。点検データは、被点検者の所属組織について行った安全に関する点検事項について高低評価を示す情報を含む。サーバ５の制御部５３は、蓄積している点検データを、所属組織別に区分して、高低評価について統計処理を行う統計処理部として、また統計処理の結果をクライアントに対して報告する出力部として機能する。【選択図】図２
2009015669.tif 000002
【特許請求の範囲】
【請求項１】
現場での安全管理担当者によるパトロールで収集された点検データを用いた報告資料の作成を支援する安全管理支援システムであって、
前記安全管理担当者がパトロール中に保持し、かつ前記点検データが入力される携帯用情報処理端末と、
この携帯用情報処理端末で収集された前記点検データが、前記携帯用情報処理端末から転送されるクライアントコンピュータと、
このクライアントコンピュータから、ネットワークを介して、前記点検データがアップロードされて蓄積され、当該蓄積された点検データに基づいて、現場に関係する組織の点検データを管理する基幹サーバと、を備え、
前記点検データは、前記現場に勤務する被点検者又はこの被点検者の所属組織について行った安全に関する点検事項についてランク分けされた高低評価を示す情報を含み、
前記基幹サーバは、
蓄積している前記点検データを前記所属組織別に区分して、前記高低評価について統計処理を行う統計処理部と、
この統計処理部による統計処理の結果を前記クライアントコンピュータに対して前記報告資料として報告する出力部と、を有する安全管理支援システム。
【請求項２】
前記点検データは、
前記安全管理担当者により点検が実施される点検場所と、
前記被点検者と、
当該被点検者の所属組織と、
前記点検事項が分類される種別と、
前記点検事項と、
当該点検事項につき前記安全管理担当者によりランク分けされた高低評価と、を示す情報を含む請求項１に記載の安全管理支援システム。
【請求項３】
前記出力部は、前記点検データについての統計処理の結果を図表にして、前記クライアントコンピュータに出力させる請求項１に記載の安全管理支援システム。
【請求項４】
前記出力部は、前記統計処理の結果を音声データ，動画データ及び写真データのうちの少なくとも一つによって表出されるメッセージを添えて、クライアントコンピュータに送信する請求項１に記載の安全管理支援システム。
【請求項５】
現場での安全管理担当者によるパトロールで収集された点検データを用いた報告資料の作成を支援する安全管理支援方法であって、
前記安全管理担当者がパトロール中に保持する携帯用情報処理端末が、
前記安全管理担当者の操作に応答して前記点検データを収集するステップと、
前記安全管理担当者の操作に応答して、前記携帯用情報処理端末からクライアントコンピュータに点検データを転送するステップとを実行し、
基幹サーバが、
前記クライアントコンピュータから、ネットワークを介して、前記点検データを収集し蓄積するステップと、
蓄積している点検データを前記所属組織別、違反を発見した場所、違反者、違反内容、報告したパトローラに区分して、前記安全性の高低評価についての統計処理を行うステップと、
統計処理の結果を前記クライアントコンピュータに対して前記報告資料として報告するステップと、を有する安全管理支援方法。
【発明の詳細な説明】
【技術分野】
【０００１】
本発明は、安全管理支援システム及び安全管理支援方法に関する。詳しくは工場その他の現場において、警備会社の警備担当者など安全管理を行う安全管理担当者（以下、パトローラ）によるパトロールで収集された点検データを用いて、安全管理のための報告資料の作成を支援する技術に関する。
【背景技術】
【０００２】
自然災害，事故，事件など地域社会全体にとって大きな脅威となるハザードを事前に予防するための企業の危機管理の在り方について、各自治体や企業は独自に体系化し、協同で標準的な危機対応手順について種種のものを提案し、来るべきハザードに備えている。
【０００３】
自治体や企業は、危機場面での活動を守るべき重要な社会セクタとしての社会的責任がある。
【０００４】
そこで、自治体や企業は、危機管理体制構築のために必須と思われる課題を標準対応マニュアルの形式で住民や社員に報告し、事故を未然に防止することを最重要課題としている。
【０００５】
それでも、現場作業者個々の情報レベルの高低によるヒューマンエラーが引き金となったときに事故は発生する。
【０００６】
製造現場や工事現場等において事故が発生すれば、製造作業の中断，工事の中断・中止のみならず、信用の失墜・補償問題等多くのロスが発生し、生産性，経済性が著しく失われる。
【０００７】
例えば、工場内で人身事故につながる程の事故が生じると、事故原因追及のための点検に何日間も操業停止を余儀なくされる。また重工業などの基幹企業で、操業停止になると、製造ラインを１日停止するだけで数十億円の売上減に相当する影響を生じかねない。
【０００８】
労災事故の最大の要因は、現場でのコミュニケーション不足やヒューマンエラーに因るところが大きく労災事故が減少しない主たる理由として、次の（イ）〜（ハ）を挙げられる。
【０００９】
（イ）複数の工事が同時併行的に行なわれ、それぞれに内容や環境が違うため、本部での一括管理が難しい。
（ロ）現場ごとに工事内容が違うため、複数の下請，孫請業者が出入りし、相互のコミュニケーションが取りにくい。
（ハ）高所や地下、又は第三者が多数通行する都心部などでは、現場管理者の目が届かず、大きなリスクが潜在する状況を常に持つ。
【００１０】
そこで、行政や業界でも事故発生を未然に防ぐため、日頃から構内アナウンス，無線連絡，優先電話，手旗信号，プラカード，携帯電話などを利用した様々な工夫を施している。また、教育研修やＫＹＴ手法や０災運動等を通した啓豪活動を繰り返し行って、発生件数の減少に努めている。
【特許文献１】特開２００５−２９３３２９号公報
【発明の開示】
【発明が解決しようとする課題】
【００１１】
しかしながら、事故防止のための選択肢は広がったとはいえ、思うように事故は減少しない。
【００１２】
本発明は、上記事情に鑑みて発明されたものであり、その解決しようとする課題は、特にヒューマンエラーによる労災事故の発生を低減させることが可能な安全管理支援システムを提供することにある。
【課題を解決するための手段】
【００１３】
前記課題を解決するために、本発明では、以下の手段を採用した。
本発明は、現場での安全管理担当者によるパトロールで収集された点検データを用いた報告資料の作成を少なくとも支援する安全管理支援システムである。
【００１４】
本システムでは、前記安全管理担当者がパトロール中に保持し、かつ前記点検データが入力される携帯用情報処理端末と、この携帯用情報処理端末で収集された前記点検データが、前記携帯用情報処理端末から転送されるクライアントコンピュータと、このクライアントコンピュータから、ネットワークを介して、前記点検データがアップロードされて蓄積され、当該蓄積された点検データに基づいて、現場に関係する組織の点検データを管理する基幹サーバと、を備える。前記点検データは、前記現場に勤務する被点検者又はこの被点検者の所属組織について行った安全に関する点検事項についてランク分けされた高低評価を示す情報を含む。また、前記基幹サーバは、蓄積している前記点検データを、前記所属組織別に区分して、前記高低評価について統計処理を行う統計処理部と、この統計処理部による統計処理の結果を前記クライアントコンピュータに対して前記報告資料として報告する出力部と、を有する。
【００１５】
本発明では、統計処理部が、基幹サーバに蓄積されている点検データを所属組織別に区分して、安全性の高低評価についての統計を所属組織別に取る。
【００１６】
そして、当該統計処理の結果を、基幹サーバが、その出力部によりクライアントコンピュータに対して報告する。
【００１７】
よって、クライアントコンピュータの所持者であって、本発明の安全管理支援システムのユーザは、被点検者の所属組織や被点検者が安全管理の重要性についてどの程度認識しているかを統計的に把握できる。
【００１８】
また、被点検者に対する安全管理の啓蒙ぶりを、被点検者の所属組織別に判断できる。
【００１９】
したがって、ユーザは、当該ユーザと取引関係にあるが、安全管理の重要性について認識が低い組織に対しては、統計に基づいて、従業員への安全管理に関する指導強化を図るよう要求し易くなる。
【００２０】
また、安全管理の重要性について認識の低い組織に対し、統計結果を見せるだけで説明が不用になる。このため、安全管理の有無で、当該組織との間で議論になる煩わしさを回避できる。
【００２１】
前記点検データは、前記安全管理担当者により点検が実施される点検場所と、前記被点検者と、当該被点検者の所属組織と、前記点検事項が分類される種別と、前記点検事項と、当該点検事項につき前記安全管理担当者によりランク分けされた高低評価とを示す情報を含むものを挙げられる。
【００２２】
さらに、前記出力部は、前記点検データについての統計処理の結果を図表にして、前記クライアントコンピュータに出力させることができる。
【００２３】
加えて、前記出力部は、前記統計処理の結果を音声データ，動画データ及び写真データのうちの少なくとも一つによって表出されるメッセージを添えて、クライアントコンピュータに送信するようにしてもよい。
【００２４】
そして本発明は、現場での安全管理担当者によるパトロールで収集された点検データを用いた報告資料の作成を支援する安全管理支援方法でもある。本発明の安全管理支援方法は、前記安全管理担当者がパトロール中に保持する携帯用情報処理端末が、前記安全管理担当者の操作に応答して前記点検データを収集するステップと、前記安全管理担当者の操作に応答して携帯用情報処理端末からクライアントコンピュータに点検データを転送するステップとを実行し、基幹サーバが、前記クライアントコンピュータから、ネットワークを介して、前記点検データを収集し蓄積するステップと、蓄積している点検データを前記所属組織別、違反を発見した場所、違反者、違反内容、報告したパトローラに区分して、前記安全性の高低評価についての統計処理を行うステップと、統計処理の結果を前記クライアントコンピュータに対して前記報告資料として報告するステップと、を有する。
【発明の効果】
【００２５】
本発明によれば、統計結果に基づいて、安全管理に関する指導強化を図ることができるので、ヒューマンエラーによる労災事故発生を抑制することができる。
【発明を実施するための最良の形態】
【００２６】
＜システムの概要＞
本発明の安全管理支援システム（以下、単に本システムという。）は、現場における安全管理のための注意喚起を促すことを目的とし、現場での安全管理を行う安全管理担当者（以下、パトローラという。）によるパトロールの実施によって採取された点検データを用いて、報告資料の作成を支援する。また、点検データを用いて、統計データ（分析用データ）の集計を行いかつその集計結果を表示することで、理想的な安全管理の実現に向けてユーザをサポートする。
【００２７】
本システムでは、ユーザが、安全管理についての目標及び安全管理の実現のため、パトロールの予定表（スケジュール）を立てることができる。また、ユーザは、パトロールの結果について、基幹サーバから報告書を受けることができる。
【００２８】
点検データとは、パトロールの実行中にパトローラの携帯用情報処理端末にパトローラの操作を通じて携帯用情報処理端末に入力されるデータである。この点検データは、現場における安全管理の遂行上、パトローラによって採取されることが予め定められているデータである。その具体的な内容については後述する。
【００２９】
またユーザとは、本システムの利用者であり、通常、自治体や企業など危機場面での活動を守るべき立場にある社会セクタが相当する。しかし、それらに限られない。
【００３０】
＜システムの構成＞
図１を用いて、本システムＳの具体的構成を説明する。
本システムＳは、パトローラが保持しかつパトローラの入力を受けて、点検データが収集される携帯用情報処理端末１と、収集された点検データが携帯用情報処理端末１から転送されるクライアントコンピュータ３と、ネットワーク４と、クライアントコンピュータ３にネットワーク４を介して転送された点検データが、クライアントコンピュータ３からネットワーク４を介して、アップロードされて蓄積され、蓄積された点検データに基づい
て、現場に関係する組織についての点検データを管理する基幹サーバ５と、を有する。
以下、本システムＳのこれら構成手段について詳述する。
【００３１】
＜携帯用情報処理端末＞
携帯用情報処理端末１は、モバイルコンピュータ又は携帯電話等の情報処理装置である。携帯用情報処理端末１は、携帯用情報処理端末として通常有する機能以外に、専用アプリケーションを使って、パトロール業務において点検データを採取できるようになっている。なお、この実施形態では携帯電話を使用したものを例示する。
【００３２】
携帯用情報処理端末１は、有線ケーブル、電波や赤外線を伝送媒体とする無線通信、又はＴＣＰ／ＩＰによるいわゆるインターネットと接続するためのネットワーク・インターフェース等の通信手段を使用して、クライアントコンピュータ３と接続される。
【００３３】
そして、携帯用情報処理端末１に採取された点検データは、これら通信手段を介して、クライアントコンピュータ３に転送、すなわち吸い上げられる。なお、この実施形態では、携帯用情報処理端末１からクライアントコンピュータ３への点検データの転送は、有線ケーブル１１が使用されて実施される場合を例示する。
【００３４】
携帯用情報処理端末１は、図２に示すように、有線ケーブル１１が接続される通信部１２と、図示しないバス（ＢＵＳ）で接続されたＣＰＵやメインメモリを備えた制御部１３と、ＲＡＭやハードディスク装置等で構成され各種のデータベースやテーブルを登録した情報記憶部１４と、ＯＳやアプリケーションプログラム（以下プログラム）を格納したプログラム記憶部１６と、テンキー，マウス又はカメラなどの入力部１７と、モニタその他の表示部（以下モニタ）１８と、を有する。
【００３５】
そして、携帯用情報処理端末１は、プログラム記憶部１６に格納されたプログラムを制御部１３が読み込んで実行する。併せて、情報記憶部１４に登録された各種データベースのデータを読み書きすることで、本システムＳにおける携帯用情報処理端末１として機能する。
【００３６】
携帯用情報処理端末１は、パトローラによって入力部１７が操作されることにより、点検データを情報記憶部１４に記憶する。そして情報記憶部１４に記憶された点検データは、既述のように有線ケーブル１１を経由して、クライアントコンピュータ３に吸い上げられる。なお有線ケーブル１１は、携帯用情報処理端末１の通信部１２とクライアントコンピュータ３の後述する通信部３２とに接続される。
【００３７】
当該吸い上げられた点検データは、ネットワーク４を経由して、クライアントコンピュータ３から基幹サーバ５に送信される。
【００３８】
点検データには、たとえば図３に示すような、パトロールデータ（報告書作成用データ）と、写真データと、動画ファイルデータとを含む。これらのデータに基づいて、本システムＳでは、既述のように、ユーザの所望する、目標及びスケジュールを立てることができ、かつ各種報告書の作成が可能となる。これらの詳細については後述する。
【００３９】
パトロールデータには、パトローラによって点検がされた場所の名である点検場所名（エリア名），パトロールデータ一つあたりに付されるパトロールＩＤ，報告書が作成されるときに付されるパトロール明細ＩＤ（報告書レコードＩＤ），点検場所で静止画像を撮った場合の静止画像ファイル名，点検場所で動画を撮った場合の動画ファイル名，レコード登録時刻等が含まれる。
【００４０】
また、写真データには、静止画が含まれる。なお、年月日と、時分秒とで写真データのファイル名の作成を行う。また、パトロールＩＤとパトロール明細ＩＤとが名前になったフォルダーに保存すれば、写真データを１つに特定することができる。
【００４１】
そして、動画ファイルデータには、動画データと音声データとが含まれ、やはり年月日と時分秒とで動画ファイルデータのファイル名の作成を行う。
【００４２】
加えて、携帯用情報処理端末１は、操作性向上のため、図３に示すように、音声読み上げによる操作ガイダンス，音声認識による携帯アプリケーション入力欄への入力及び音声読み上げによる入力内容の復唱が可能である。そのために音声認識用の辞書ファイルや読み上げシステム用辞書ファイルを含む。
【００４３】
音声認識用の辞書ファイルには、認識用表記文字や認識用ふりがなが含まれる。
読み上げシステム用辞書ファイルには、メッセージＩＤ及びメッセージ内容が含まれる。
【００４４】
携帯用情報処理端末１にこれらのファイルを含むことで、携帯用情報処理端末１の使用者によって、携帯用情報処理端末１に対して発話入力がされると、音声認識用の辞書ファイルは、テキスト出力された認識結果を引数として、前記読み上げシステム用辞書ファイルに引き渡す。
【００４５】
この読み上げシステム用辞書ファイルでは、操作ガイダンスを音声で出力したり、入力チェック用に読み上げたりする復唱出力を行う。
【００４６】
＜クライアントコンピュータ＞
クライアントコンピュータ３は、汎用のコンピュータである（図１参照）。そして、図２に示すように、ＴＣＰ／ＩＰによるいわゆるインターネットと接続するためのネットワーク・インターフェース等の通信部３２と、それぞれ図示しないバス（ＢＵＳ）で接続されたＣＰＵやメインメモリを備えた制御部３３と、ＲＡＭやハードディスク装置等で構成され各種のデータベースやテーブルを登録した情報記憶部３４と、ＯＳやアプリケーション・プログラムを格納したプログラム記憶部３６と、キーボードなどの入力部３７と、モニタその他の表示部（以下モニタ）３８と、プリンターその他の印刷部３９と、を有する。
【００４７】
なお、携帯用情報処理端末１から転送された前記点検データは、情報記憶部３４に記憶される。
【００４８】
そして、プログラム記憶部３６に格納されたプログラムを、制御部３３が読み込んで実行しながら、情報記憶部３４に登録された各種データベースのデータを読み書きすることで、本システムＳにおけるクライアントコンピュータ３として機能する。
【００４９】
クライアントコンピュータ３では、携帯用情報処理端末１から吸い上げた点検データをネットワーク４経由で、基幹サーバ５にアップロードする。基幹サーバ５ではアップロードされた点検データをそのデータベース（以下、サーバデータベース）に蓄積する。同時に基幹サーバ５に蓄積されている点検データをｗｅｂ経由でダウンロードし、ｗｅｂアプリケーション上にブラウズする。そしてユーザの操作を通じて、印刷部３９がブラウズされた点検データを含む情報を報告書として印刷する（図３参照）。
【００５０】
＜ネットワーク＞
ネットワーク４は、次のようなものを挙げられる。例えば、ＬＡＮ（Ｌｏｃａｌ  Ａｒ
ｅａ  Ｎｅｔｗｏｒｋ），ケーブルテレビ・ネットワーク，ｘＤＳＬ（ｘ  Ｄｉｇｉｔａｌ  Ｓｕｂｓｃｒｉｂｅｒ  Ｌｉｎｅ），ＡＤＳＬ，光ネットワーク等の有線ネットワーク、又は無線ＬＡＮ，固定無線アクセス（ＦＷＡ）等の無線アクセス可能なネットワークである。これらのブロードバンド・ネットワークは、一般的にはインターネットに接続される（図２，３参照）。
【００５１】
＜基幹サーバ＞
基幹サーバ５は、汎用のサーバ装置（コンピュータ）であって（図１参照）、ネットワーク・インターフェース等の通信部５２と、ＣＰＵその他の制御部（制御手段）５３と、情報記憶部５４と、プログラム記憶部５６と、を有する（図２参照）。
【００５２】
これらの構成は、前述の携帯用情報処理端末１やクライアントコンピュータ３におけるものと同様である。なお、クライアントコンピュータ３の入力部，表示部，印刷部に相当するものが基幹サーバ５にも当然含まれるが、本明細書では図示を省略した。
【００５３】
プログラム記憶部５６に格納されたプログラムを制御部５３が読み込んで順次実行しながら、サーバデータベースに記憶されているデータの読み書きをすることで、本システムにおける基幹サーバ５として機能する。
【００５４】
また制御部５３は、専用アプリケーションを使って、点検データを被点検者の属する所属組織（以下、所属組織）別に区分して、被点検者又は被点検者の所属組織について行った、安全に関する点検事項についてランク分けされた高低評価の統計処理を行う。なお、所属組織に限られず、単一の団体内の職場ごとに点検を行う場合にも本システムは適用できる。
【００５５】
よって、制御部５３は、サーバデータベースに蓄積されている点検データを、被点検者の所属組織別に区分して、前記高低評価について統計処理を行う統計処理部といえる。
【００５６】
次に、基幹サーバ５のデータベースが構築される情報記憶部５４について、図４を参照して述べる。
サーバデータベースは、次の十テーブルを有する。
（１）点検データが蓄積されるパトロールテーブル５４１
（２）このパトロールテーブル５４１に蓄積されている点検データと関連付けられて各種データを格納するパトロール明細テーブル５４２
（３）パトローラのパトロール用スケジュールを作成するための各種データを格納するスケジュールテーブル５４３
（４）ユーザの操作を通じて重点目標を立てるための各種データを格納する重点目標テーブル５４４
（５）被点検者の所属先グループについての各種データを格納する所属グループマスタテーブル５４５
（６）被点検者が、安全に関するルールに違反した場合に、違反した被点検者（以下違反者）の連絡先に係る各種データを格納する違反連絡先マスタテーブル５４６
（７）パトローラについての各種データを格納するパトローラ・マスタテーブル５４７
（８）違反項目についての各種データを格納する違反項目マスタテーブル５４８
（９）違反種別についての各種データを格納する違反種別マスタテーブル５４９
（１０）パトロール区分についてのパトロール区分マスタテーブル５５０
【００５７】
以下各テーブルについて説明する。
＜（１）パトロールテーブル＞
パトロールテーブル５４１は、パトロール明細テーブルと同様、報告書を作成するため
のテーブルである。パトロールテーブル５４１は、複数の各パトローラによる携帯用情報処理端末１の操作を通じて携帯用情報処理端末１に採取された点検データを蓄積する。
【００５８】
パトロールテーブル５４１は、点検データ一つあたりについて付されるパトロール（報告書）ＩＤを有する。そしてパトロールテーブル５４１には、点検データ毎に、パトロール開始日時，パトロール終了日時，削除・未削除の判別を実行するフラグである削除区分，登録日，登録者，更新日，更新者，削除日及び削除者等が登録される。
【００５９】
＜（２）パトロール明細テーブル＞
パトロール明細テーブル５４２は、パトロール（報告書）ＩＤと、報告書ごとに付されるパトロール明細ＩＤと、を有する。
【００６０】
またパトロール明細テーブル５４２は、パトロールの実施年月日，安全管理に関する点検項目で定められている、安全確保のためのルールに違反した違反者（被点検者）の属する所属組織のＩＤ（違反者会社ＩＤ），違反者名，パトローラにより点検がされる場所のＩＤ（場所ＩＤ），当該場所が含まれるエリアＮＯ，パトローラによる点検事項のうち違反している事項の種別ＩＤ，前記点検事項の具体的内容のうち違反している項目（以下違反項目）のＩＤ，点検場所に居た又は当該点検場所の管理責任者又は担当者である被点検者、又はこの被点検者が所属する組織について行った安全に関する点検事項についてランク分けされた高低評価である判定の内容，音声ファイル名，画像ファイル名，写真の、特に目立たせたい箇所をマウスでクリックすると、矢印をつけることができる各種画像指摘ポイント，備考，削除区分，登録日，登録者，更新日，更新者，削除日及び削除者等を含む。なお、前記矢印は、報告書を表示するたびに付与され、パトロール明細テーブル５４２には、矢印を表示する座標（Ｘ１・Ｙ１，Ｘ２・Ｙ２，等）が登録される。
【００６１】
＜（３）スケジュールテーブル＞
スケジュールテーブル５４３は、パトローラによるパトロールの予定表を立てるためのテーブルである。１スケジュールごとに付与されるスケジュールＩＤを有する。
【００６２】
またスケジュールテーブル５４３には、スケジュールの日付，パトロール区分ＩＤ，ユーザＩＤ，協力会社ＩＤ，削除区分，登録日，登録者，更新日，更新者，削除日及び削除者等が含まれる。
【００６３】
＜（４）重点目標テーブル＞
重点目標テーブル５４４は、例えば”今月の目標”のように重点をおいて組織的に達成しようとする目標をスケジュールに掲げるためのテーブルである。重点目標ごとに付与される重点目標ＩＤを有する。
【００６４】
また重点目標テーブル５４４には、重点目標日時，重点目標区分，重点目標内容，削除区分，登録日，登録者，更新日，更新者，削除日及び削除者等が含まれる。
【００６５】
＜（５）所属グループマスタテーブル＞
所属グループマスタテーブル５４５は、被点検者が所属する所属組織（所属グループ）についてのデータが蓄積され、所属グループＩＤを有する。また、所属グループマスタテーブル５４５には、所属グループ名，グループ区分，備考，削除区分，登録日，登録者，更新日，更新者，削除日及び削除者等が含まれる。
【００６６】
＜（６）違反連絡先マスタテーブル＞
違反連絡先マスタテーブル５４６は、違反者が出た場合にサーバデータベースからクライアントコンピュータ３経由で連絡を受けることになっている、現場における担当長（担
当者）ごとに付与される違反者ＩＤを有する。また、違反連絡先マスタテーブル５４６には、担当長のＩＤ（作業者ＩＤ），当該作業者の携帯番号，携帯メールアドレス，携帯メールアドレス送信区分，ＰＣメールアドレス，ＰＣメールアドレス送信区分，備考，削除区分，登録日，登録者，更新日，更新者，削除日及び削除者等が含まれる。
【００６７】
＜（７）パトローラ・マスタテーブル＞
パトローラ・マスタテーブル５４７は、パトローラごとに付与されるパトローラＩＤを有する。また、パトローラ・マスタテーブル５４７には、パトローラの所属グループＩＤ，当該パトローラの携帯番号，携帯メールアドレス，携帯メールアドレス送信区分，ＰＣメールアドレス，ＰＣメールアドレス送信区分，備考，削除区分，登録日，登録者，更新日，更新者，削除日及び削除者等が含まれる。
【００６８】
＜（８）違反項目マスタテーブル＞
違反項目マスタテーブル５４８は、違反項目ごとに付与される違反項目ＩＤと、違反種別ごとに付与される違反種別ＩＤと、を有する。また、違反項目マスタテーブル５４８には、違反項目内容，削除区分，登録日，登録者，更新日，更新者，削除日及び削除者等が含まれる。
【００６９】
＜（９）違反種別マスタテーブル＞
違反種別マスタテーブル５４９は、違反種別ごとに付与される違反種別ＩＤを有する。また違反種別マスタテーブル５４９には、違反種別名，削除区分，登録日，登録者，更新日，更新者，削除日及び削除者等が含まれる。
【００７０】
＜（１０）パトロール区分マスタテーブル＞
パトロール区分マスタテーブル５５０は、パトロール区分ごとに付与されるパトロール区分ＩＤを有する。またパトロール区分マスタテーブル５５０には、パトロール区分名，備考，削除区分，登録日，登録者，更新日，更新者，削除日及び削除者等が含まれる。
【００７１】
各マスタテーブルのデータは、前もって入力されてあるデータである。
【００７２】
また、基幹サーバ５の制御部５３は、統計処理を行った結果を、ネットワーク４を経由して、クライアントコンピュータ３に報告する出力部として機能する。
【００７３】
出力部としての制御部５３は、また、点検データについての統計結果を図表（グラフ）にして、クライアントコンピュータ３のモニタ１８に出力（報告）させる。そして制御部５３は、統計結果に音声データ，動画データ及び写真データのうちの少なくとも一つによって表出されるメッセージを添えて、クライアントコンピュータ３に送信する。
【００７４】
次に図５のフローチャートを参照しながら、パトローラによる携帯用情報処理端末１の操作を通じて携帯用情報処理端末１に採取された点検データが、本システムでどのように用いられ、かつ加工されてユーザに提供されるのかについて説明する。ユーザに提供されるまでには次の５つのステップを経る。なおステップを符号Ｓに番号を付して示す。
【００７５】
Ｓ１では、パトローラによる入力部１７の操作により、携帯用情報処理端末１には、点検データが収集される。点検データが収集されるにあたり、携帯用情報処理端末１にインストールされている専用アプリケーションを使用する。
専用アプリケーションを使用して点検データを携帯用情報処理端末１に入力するための入力画面を図６〜図１１に示す。
【００７６】
図６は当該専用アプリケーションのタイトル画面を示す。
【００７７】
図７は安全管理について違反のあった点検場所，エリア番号、及び安全に関する点検事項につきパトローラによって行われる評価が、パトローラによって選択的に入力される画面を示す。エリア番号とは、現場において予め定められている区分番号である。
【００７８】
図８は図７の入力が終了した後の登録画面を示す。
【００７９】
なお、図９に示すように専用アプリケーションの初回起動時のみ自己携帯番号の入力画面が起動する。そして、当該画面にしたがってパトローラに操作を促し、パトローラの自己携帯番号が携帯用情報処理端末１に入力される。
パトローラの操作により入力が終了すると、携帯用情報処理端末１は、図１０に示すように、登録を行うか又は修正を行うかをパトローラの入力を受けて選択するための画面を表出する。
この画面上で、パトローラにより登録が選択されたならば登録を完了し、図６のタイトル画面を携帯用情報処理端末１は表出する。またパトローラにより修正が選択されたならば、図９の入力画面を表出し、パトローラに自己番号の再入力を促す。
【００８０】
この一連の流れを図１１の携帯画面遷移図に示す。図（ａ）は図６〜図８までの遷移図であり、図（ｂ）は、図９から図１０を経てタイトル画面の図６に至るまでの遷移図である。
【００８１】
また、携帯用情報処理端末１で写真や動画を取り込んだ場合、写真や動画も点検データになる。
【００８２】
Ｓ２では、パトローラの操作に応答して、携帯用情報処理端末１がクライアントコンピュータ３に点検データを転送する。
【００８３】
Ｓ３では、基幹サーバ５が、クライアントコンピュータ３から、ネットワーク４を介して、点検データをアップロードしてサーバデータベースに蓄積する。
【００８４】
Ｓ４では、基幹サーバ５の制御部５３が、サーバデータベースに蓄積されている点検データを、被点検者の所属する組織別に区分して、前記安全性の高低評価についての統計処理を行う。
【００８５】
Ｓ５では、クライアントコンピュータ３が、インターネット閲覧ソフトのブラウザを利用して、基幹サーバ５に蓄積されたデータを参照・更新及び登録し、ｗｅｂ経由で基幹サーバ５に蓄積されているデータをダウンロードし、ｗｅｂアプリケーション上にブラウズする。
【００８６】
図１２は、ｗｅｂアプリケーション上にブラウズされ、クライアントコンピュータ３のモニタ３８に表示される画面の遷移図である。遷移図は、点検データが、加工された結果どのようにユーザに利用されるのかを説明するための図である。
【００８７】
図１２の遷移図は、クライアントコンピュータ３が、そのモニタ３８に本システムＳのＴＯＰ画面３００として表出する安全管理に係る各種画面の概略を示す図である。
【００８８】
安全管理に係る画面には、（１）スケジュール（報告書出力），（２）目標設定，（３）報告書編集，（４）統計出力，（５）違反件数，（６）マスタメンテの５種類の画面が表示される。これらの画面上の図示しないツールバーがユーザによって操作され、又は必要な項目が選択されると、所望の画面に遷移する。なお、以下に示すこれら（１）から（
６）の動作主体は、特に断らない限り、クライアントコンピュータ３である。
【００８９】
（１）スケジュールの画面（以下、スケジュール画面）は、安全管理を行うパトローラの予定表（以下、安全パトロール予定表という）を本システムＳで作成するためのものである。クライアントコンピュータ３には、パトローラまたはパトローラの管理担当者によって、パトローラごとの行動スケジュールが、クライアントコンピュータ３の入力部３７へのユーザによる操作を通じて入力される。
【００９０】
スケジュール画面によりパトローラの日毎の業務内容に係る報告が可能であり、日毎報告書の一覧表示ができる。またスケジュール及び日毎報告書は報告書として出力できる。出力にあたり印刷部３９によって、スケジュールや日毎報告書を印刷する。
【００９１】
（２）目標設定の画面（以下、目標設定画面）は、月週日毎に安全管理に関する目標をユーザによるクライアントコンピュータ３への入力を受けて設定するための画面である。立てられた目標は、担当長へ通知メールとして送信できる。
【００９２】
（３）報告書編集の画面（以下、報告書編集画面）は、作成した報告書をユーザによるクライアントコンピュータ３への入力を受けて編集するための画面である。その際に画像や図形の描写も併せて行えるようになっている。画像とは、例えば点検データに含まれる写真データや動画データであり、図形とは例えば、感嘆符などであり、安全管理の重要性を言葉で表現するよりも視覚で訴えた方がアッピールできる場合に使用する記号やマークの類である。
【００９３】
（４）統計出力の画面（以下、統計出力画面）は、点検データに基づいて，例えば担当者別の各種ランキング，グラフなどを作成する、言い換えれば加工された点検データを示すための画面である。
（５）違反件数の画面（以下、違反件数画面）は、点検データに基づいて，例えば被点検者が安全に関するルールに違反した場合の違反件数リストなどを作成する、これも加工された点検データを示すための画面である。
【００９４】
（６）マスタメンテの画面（以下、マスタメンテ画面）は、既述した各種マスタテーブルに登録してあるデータをメンテナンス（保守）するためのツール群を有する画面である。
【００９５】
次に、マスタメンテの画面を除いたこれら各画面の詳細について、図面を参照しながら説明する。
＜スケジュール画面＞
図１３〜図３３を参照して、スケジュール画面の具体的内容について説明する。
【００９６】
図１３はスケジュール画面のうち、特定年月の安全パトロール予定表の一覧画面３１１である。一覧画面３１１では、一パトロール毎に必要事項の入力編集が可能である。この一覧画面３１１では、パトロール実施年月日（画面では”年月日”と記載）と、ユーザ（○○造船）の安全管理担当者であるパトローラの名前（画面では”○○  ○○”と記載）と、ユーザの協力会社名（画面では”○○工業”等と記載）と、を表示する。
【００９７】
図１３の”編集”ボタン３１１ａが、入力部１７である例えばマウスでユーザによってクリック（以下単にクリック）されると、クライアントコンピュータ３はそのモニタ３８に図１４に示す安全パトロール予定表新規登録・編集画面３１２を表示する。図１４において、ユーザの入力を受けて必要項目の記入及び選択がされ、その後、確認画面ボタン３１２ａがクリックされると、図１５に示すパトロール予定表確認画面３１３を表出する。
【００９８】
図１４の安全パトロール予定表新規登録・編集画面３１２で、必要項目がユーザの操作を通じて選択される場合は、選択ボタン３１２ｂがクリックされる。ユーザの操作により、図１３の安全パトロール予定表の一覧画面３１１を再び表出する場合は、”予定一覧画面へ戻る”ボタン３１２ｃがクリックされる。また、安全パトロール予定表の一覧画面３１１の内容をユーザが印刷したいと考える場合は、出力ボタン３１１ｄがクリックされるので、クライアントコンピュータ３は、それに応じて安全パトロール予定表の一覧画面３１１の内容を印刷する。
【００９９】
図１５のパトロール予定表確認画面３１３の内容で間違いないとユーザが判断すれば、その内容を確定するための”この内容で確定する”ボタン３１３ａがクリックされる。ユーザがその内容は間違っていると判断すれば、図１５の”入力フォームへ戻る”ボタン３１３ｂがクリックされ、図１４の安全パトロール予定表新規登録・編集画面３１２を再び表出し、ユーザの入力を再び受ける。
【０１００】
図１５に示すパトロール予定表確認画面３１３の内容で間違いないとユーザが判断し、ユーザによって”入力フォームへ戻る”ボタン３１３ｂがクリックされると、図１６に示す、完了したパトロール予定表であるパトロール予定表完了画面３１４を表出する。また他の予定がユーザによって閲覧される場合は、”予定表一覧画面へ戻る”ボタン３１４ａがクリックされ、図１３の安全パトロール予定表の一覧画面３１１を表出する。
【０１０１】
また、図１３において”表示”ボタン３１１ｂがクリックされると、報告書を表示する。さらに、同図の”削除”ボタン３１１ｃがクリックされると、図１３の一覧表中からクリックされた削除ボタン３１１ｃに係る予定項目を削除する。
【０１０２】
パトロール予定表完了画面３１４により、パトローラがパトロールを実施する年月日、パトロールを実施する区分、パトローラの氏名、ユーザの協力会社名をユーザに即座に確認させることができる。なお、図１６のパトロール予定表完了画面３１４では、パトロール区分３１４ｂが未入力の状態で示されている。
【０１０３】
＜目標設定画面＞
次に、図１７〜図２０を参照して、目標設定画面の具体的内容について説明する。
【０１０４】
目標設定画面には、図１７に示すようなカレンダー形式の重点目標カレンダー画面３２１が含まれる。重点目標カレンダー画面３２１では、目標とすべき事項の登録及び編集がユーザの操作により、日ごとに実施することができる。
【０１０５】
また、重点目標カレンダー画面３２１では、年間目標及び月間目標，週間目標についても登録及び編集が実施可能である。そのために重点目標カレンダー画面３２１では、一目標毎に必要事項の入力編集がユーザの操作を通じて実施できるようになっている。
【０１０６】
この重点目標カレンダー画面３２１では、カレンダー上の該当日のうち、登録・更新とある箇所３２１ｆをユーザがクリックすると、図１８の重点目標カレンダー新規登録・編集画面３２２を表示する。なお、図１７の重点目標カレンダー画面３２１の登録・更新箇所３２１ｆと同じ欄内に設定された、削除とある箇所３２１ｇが、クリックされると該当日の目標を削除する。
【０１０７】
図１８の重点目標カレンダー新規登録・編集画面３２２にある種別の項には、”日次目標”と自動的に表示する。また、それ以外に目標を掲げる年月日と、具体的な目標事項をユーザの入力を受けて表示するようになっている。
【０１０８】
当該入力後、図１８の”確認画面へ”ボタン３２２ａがクリックされると、図１９に示す重点目標カレンダー確認画面３２３を表出する。重点目標カレンダー確認画面３２３の内容で間違いないとユーザが判断すれば、当該内容を確定するための、図１８の”この内容で確定する”ボタン３２３ａがクリックされる。
【０１０９】
内容が間違っているとユーザが判断すれば、図１９の”入力フォームへ戻る”ボタン３２３ｂがクリックされる。すると、図１８の重点目標カレンダー新規登録・編集画面３２２を表出し、編集されるべき事項の入力をユーザに促す。なお、図１８の”編集画面トップへ戻る”ボタン３２２ｂがクリックされると、図１７の重点目標カレンダー画面３２１を表出する。
【０１１０】
図１９の重点目標カレンダー確認画面３２３のうち、”この内容で確定する”ボタン３２３ａがクリックされると、図２０に示すような、重点目標の基幹サーバ５への登録が完了したことをユーザに通知する、重点目標カレンダー完了画面３２４を表出する。なお、図２０の”編集画面トップへ戻る”ボタン３２４ａがクリックされると、図１７の重点目標カレンダー画面３２１を表出する。
【０１１１】
また、日次以外に図１７の重点目標カレンダー画面３２１では、年次・月次・週次の重点目標を掲げることができ、そのために必要な操作ボタンを有する。なお時間毎の目標をユーザの操作により設定できるようにしてもよい。
【０１１２】
年次（年間）目標をユーザが掲げたい場合は、図１７の新規登録ボタン３２１ａがクリックされる。
【０１１３】
ユーザによって月次（今月の）目標が掲げられる場合は、図１７の”今月の目標”の項目の右側に設定された登録・更新ボタン３２１ｂがクリックされる。またユーザが登録・更新ボタン３２１ｂに隣接する削除ボタン３２１ｃをクリックすると、今月の目標を削除する。
【０１１４】
ユーザによって週次の目標が掲げられる場合は、同じく図１７のカレンダー部分の各週の右側に設定された登録・更新ボタン３２１ｄがクリックされる。またユーザが登録・更新ボタン３２１ｄに隣接する削除ボタン３２１ｅをクリックすると、週次の目標を削除する。
【０１１５】
＜報告書編集画面＞
次に、図２１〜図２６を参照して、報告書編集画面の具体的内容について説明する。
報告書編集画面では、過去に作成された又は作成途中の報告書（以下、点検パトロール報告書）をユーザの入力を受けて検索する。そのため、図２１に示すような点検パトロール報告書検索画面３３１を含む。
【０１１６】
点検パトロール報告書検索画面３３１では、パトロールが実施された年月日がユーザの入力を受けて表示できるようになっているとともに、ユーザの入力によりパトローラの氏名が選択され、その他必要事項が入力されたならば、”この条件で選択する”ボタン３３１ａがクリックされる。検索結果を図２２に示す。
【０１１７】
図２２には、検索条件を表示するとともにパトロールの実施年月日と、パトローラ（実施者）の氏名と、パトロールの開始時間及び終了時間とを情報として含む項目（以下、パトロール項目という。）ごとに一覧表示する。図２２に表出されている画面を点検パトロール報告書検索結果一覧画面３３２という。
【０１１８】
点検パトロール報告書検索結果一覧画面３３２の各パトロール項目の右側にある表示ボタン３３２ａが、ユーザの操作によってクリックされると、押された表示ボタン３３２ａに係るパトロール項目の内訳（以下点検パトロール報告書内訳という）のドラフトを、クライアントコンピュータ３のモニタ１８に表示する。なお、ユーザの操作を通じて削除ボタン３３２ｂがクリックされるごとに、図２２の点検パトロール報告書検索結果一覧画面３３２のパトロール項目を削除する。
【０１１９】
図２３はモニタ１８に表出された点検パトロール報告書内訳の一例である。図２３に表出されている画面を点検パトロール報告書画面３３３という。
点検パトロール報告書内訳画面３３３は、現場写真を表出する欄の他、場所，被検者（違反者）の違反者社名（所属先グループ名），違反者氏名，種別，項目内容，判定，備考の各欄を有する。
【０１２０】
場所とは、パトローラによって点検がされる場所のことであって、具体的には工場その他労働災害の生じ易い場所である。
【０１２１】
被点検者とは、パトローラにより安全点検がされる者をいう。
【０１２２】
被点検者の所属組織とは、被点検者が従属または付属している会社その他の組織をいう。
【０１２３】
種別とは点検事項の種別のことであり、大枠で設定した点検事項をいう。
種別には、例えば、安全衛生や仕事を行う上での基本である４Ｓ（整理，整頓，清潔，清掃），電気溶接・旋盤・鋳型・板金など職業や職務の種類，墜落・転落などの具体的な事故を含む。
【０１２４】
項目内容とは、点検事項の具体的内容のことであり、点検事項の種別の中身を細分化したものである。例えば、前記４Ｓであれば、安全通路の確保，物の置き方や積み方，電気溶接であれば、電撃防止器作動状態，墜落・転落などの具体的な事故にあっては、当該事故を防止するための具体的な手立て、例えば安全帯の使用などである。
【０１２５】
判定とは、パトローラによって行われる行為であり、当該点検事項についてランク分けして行う高低評価のことである。例えば前記４Ｓの安全通路の確保や物の置き方であれば、優・良・可・不可のいずかにパトローラがランク分けすることである。
【０１２６】
備考は必要に応じてユーザにより入力される付記項目であり、他の記載事項の不足を補う。備考欄に例えば音声ファイルを呼び出せるようにリンクが張られるようにしてもよい。
【０１２７】
図２３の点検パトロール報告書画面３３３の内容で問題ないとユーザが判断したならばば、当該画面を出力する出力ボタン３３３ｄがクリックされる。またユーザの操作を受けて別の点検パトロール報告書をユーザに閲覧させる場合は、”検索結果一覧へ戻る”ボタン３３３ｃがクリックされる。当該クリックにより、図２２の検索結果一覧画面を表出する。
【０１２８】
ユーザの操作を受けて点検パトロール報告書画面３３３の内容が修正されたり、削除されたりする場合は、図２３の点検パトロール報告書画面３３３の検査結果項目毎に設定された編集ボタン３３３ａ又は削除ボタン３３３ｂがクリックされる。
【０１２９】
図２４は点検パトロール報告書編集画面３３４を示す。点検パトロール報告書編集画面３３４では、ユーザの操作を通じて必要事項が選択ボタン３３４ａにより選択され、またユーザの入力を受けて必要事項が入力部３３４ｂに入力されることで編集を実行する。
【０１３０】
編集を終了すると”確認画面へ”ボタン３３４ｃがクリックされる。また”報告書画面へ戻る”ボタン３３４ｄがクリックされることで、図２３の点検パトロール報告書画面３３３を表出する。
【０１３１】
図２５は、図２４の”確認画面へ”ボタン３３４ｃがクリックされると表出する点検パトロール報告書確認画面３３５を示す。点検パトロール報告書確認画面３３５の内容で問題ないとユーザによって確認されると、”この内容で確定する”ボタン３３５ａがクリックされる。反対に点検パトロール報告書確認画面３３５の内容では問題があるとユーザによって判断されると、”入力フォームへ戻る”ボタン３３５ｂがクリックされる。入力フォームへ戻るボタン３３５ｂがクリックされると、図２４の点検パトロール報告書編集画面３３４を再び表出する。
【０１３２】
また図２５で”この内容で確定する”ボタン３３５ａがクリックされると、現在表出している図２５の内容で、点検パトロール報告書を、基幹サーバ５のサーバデータベースに登録する。同時に図２６に示す点検パトロール報告書完了画面３３６を表出し、これにより編集後の内容で基幹サーバ５への登録を完了したことをユーザに通知する。なお、図２６の”報告書画面へ戻る”ボタン３３６ａがクリックされると、図２３の点検パトロール報告書画面３３３を表出する。
【０１３３】
＜統計出力画面＞
次に図２７〜図２９を参照して、統計出力画面の具体的内容について説明する。
統計出力画面では、基幹サーバ５に蓄積されている点検データを統計データとしてグラフで出力するための表示条件が、ユーザの操作により指定される。このため、統計出力画面は、図２７に示すような、パトローラである担当者別のグラフ検索画面（以下、担当者別グラフ検索画面）３４１を含む。またパトローラが違反を発見した"場所"、"違反者"、"違反内容"、報告した"パトローラ"別のグラフ検索画面もあるが省略した。
【０１３４】
担当者別グラフ検索画面３４１では、パトロールの実施された年月日がユーザによって入力されるようになっている。また、パトローラの判定内容である、既述したランク分けで表示した項目（以下、表示項目）：優・良・可・不可のいずれか又は全部にユーザによる操作を通じてチェックマークが付されることにより、絞り込みによる検索を実行する。なお、当該チェックマークが付されなければ、または全部にチェックが入れられることで全件検索を実行する。絞り込みが掛けられるようになっていることは、チェックマークを有する他の画面の説明においても同様である。
【０１３５】
図２７の担当者別グラフ検索画面３４１でユーザの操作を通じて必要事項が記入されたら、”この条件で検索する”ボタン３４１ａがクリックされる。図２８に検索結果を例示する。図２８に表出された画面を担当者別グラフ結果表示画面といい符合３４２で示す。
【０１３６】
図２８では、検索条件を期間のみとされ、表示項目は検索条件にされなかった場合を例示する。例示された検索結果は、パトローラ毎に示されている。また各パトローラの判定結果表示項目のすべてについてグラフ化した状態で示してある。
【０１３７】
またユーザの操作を通じて別の条件で検索を実行する場合は、図２８の”検索フォームへ戻る”ボタン３４２ａのクリックに応じて、図２７の担当者別グラフ検索画面３４１を表出する。
【０１３８】
さらに図２８において各担当者名の直下にある内訳ボタン３４２ｂがクリックされると、図２９に示す、ユーザの指定する条件で出力された統計データの内訳を表示する。図２９に示す画面を担当者別グラフ内訳出力画面といい符合３４３で示す。
【０１３９】
図２９の担当者別グラフ内訳出力画面３４３では、場所別，違反内容別，業者（現場に関係する被点検者の所属組織）別に優・良・可・不可の表示項目を表示する。そして、それぞれの表示項目に対し、パトローラがどれだけの数の判定を下したかをグラフ化して示す。
【０１４０】
ユーザの入力を受けて別のパトローラについての内訳をモニタ上に表出する場合は、図２９の”結果一覧へ戻る”ボタン３４３ａがクリックされることで、モニタ１８は、図２８の担当者別グラフ結果表示画面３４２を表出する。
＜違反件数画面＞
次に図３０〜図３３を参照して、違反件数画面の具体的内容について説明する。
【０１４１】
違反件数画面は、被点検者の所属する組織別の違反件数をユーザの入力を受けて検索するための画面として、図３０に示す違反件数検索画面（以下、業者別違反件数検索画面）３４４を含む。
【０１４２】
業者別違反件数検索画面３４４では、ユーザの入力を受けてパトロールが実施された年月日が記入されるようになっている。併せてパトロールの実施された場所，パトローラ（図３０では担当者と記載されている）の氏名，被点検者の所属する組織名である業者名が、ユーザによる選択を通じて入力されるようになっている。このように、ユーザにより業者別の違反件数を出力するための条件が入力される。
【０１４３】
図３０の業者別違反件数検索画面３４４で必要事項がユーザの入力を通じて記入されたら、”この条件で検索する”ボタン３４４ａがクリックされる。
図３１に検索結果を例示する。図３１に表出されている画面を業者別違反件数検索結果画面といい、符号３４５で示す。
【０１４４】
図３１では、検索条件を期間のみとし、場所，担当者であるパトローラ及び業者名は検索条件に含まれなかった場合の出力画面を例示する。
【０１４５】
図３１の業者別違反件数検索結果画面３４５の内容で問題ないとユーザが判断したならば、又は必要に応じて当該画面を出力（印刷）する出力ボタン３４５ａがクリックされる。
【０１４６】
図３１の業者別違反件数検索結果画面３４５では、違反種別と違反項目を当該画面における項目事項として挙げている。そして、違反項目別に優・良・可・不可の表示項目が挙げられ、それぞれにつきパトローラがどの表示項目に対しどれだけの数の判定を下したかを数値で判別できるように表出する。
【０１４７】
また別の条件がユーザにより指定されて検索を実行する場合は、図３１の”検索フォームへ戻る”ボタン３４５ｂがクリックされ、図３０の業者別違反件数検索画面３４４を表出する。
【０１４８】
加えて違反件数画面は、図３２に示すような業者別違反ランキング検索画面３４６を含む。
【０１４９】
業者別違反ランキング検索画面３４６では、パトロールの実施された年月日がユーザの入力を通じて記入されるようになっている。また、パトローラの判定内容である既述した表示項目：優・良・可・不可に、ユーザによる操作を通じてチェックマークが付されることにより、絞り込みによる検索を実行する。
【０１５０】
図３２の業者別違反ランキング検索画面３４６でユーザの操作を通じて必要事項が記入されたら、”この条件で検索する”ボタン３４６ａがクリックされる。
図３３に業者別違反ランキング検索結果を例示する。
図３３は、検索条件を期間のみとし、表示項目を検索条件にしなかった場合を例示する。
当該例示では、各パトローラの判定内容を、表示項目のすべて（優・良・可・不可）についてグラフ化した統計データとして出力している。
【０１５１】
図３３に表出されている画面を業者別違反ランキング検索結果画面３４７という。
またユーザの入力を受けて別の条件で検索する場合は、業者別違反ランキング結果表示画面３４７のうち”検索フォームへ戻る”ボタン３４７ａがクリックされる。すると、図３２に示す業者別違反ランキング検索画面３４６を表出する。
【０１５２】
＜作用効果＞
本システムＳでは、統計処理部である基幹サーバ５の制御部５３が、サーバデータベースに蓄積されている点検データを前記組織別に区分して、安全性の高低評価についての統計を組織別に取る。そして、当該統計処理の結果を、基幹サーバ５が、その出力部である制御部５３により、クライアントコンピュータ３に対して報告する。
【０１５３】
よって、クライアントコンピュータ３の所持者であって、本システムＳのユーザは、被点検者の所属組織や被点検者が安全管理の重要性についてどの程度認識しているかを把握できる。
【０１５４】
すなわち本システムＳのユーザは、被点検者の属する所属組織の被点検者に対する安全管理の啓蒙ぶりを所属組織別に判断することができる。
【０１５５】
したがって、ユーザは、安全管理の重要性について認識の低い組織に対しては、統計に基づいて、従業員への安全管理に関する指導強化を図るよう要求し易くなる。
【０１５６】
また、問題となる組織に対しては、統計結果をグラフ（図表）にして見せるだけでよいので、安全管理の重要性について従業員への指導改善の提案を行うにあたり、当該改善を実施することの必要性に関する説明を簡単に行うことができる。
【０１５７】
統計結果を音声データ，動画データ及び写真データのうちの少なくとも一つによって表出されるメッセージを添えて、クライアントコンピュータに送信すれば、一層安全管理に関する理解を深めることができる。
【０１５８】
さらに、統計結果に基づいて、安全管理に関する指導強化を図ることができるので、ヒューマンエラーによる労災事故発生を抑制することができる。
【０１５９】
出力部である制御部５３は、前記統計結果を音声データ，動画データ及び写真データのうちの少なくとも一つによって表出されるメッセージを、リンクを張って、クライアントコンピュータ３に送信することも可能である。この結果、点検データに基づいた統計結果についてユーザの理解を深めることの補助ができる。
【０１６０】
また、図２８の担当者別グラフ結果表示画面により、担当者のくせ、すなわち偏った判定がなされていないか否かについて検証することが可能である。例えばパトローラが過去経験のある技術を担当した場合と全く経験のない技術を担当した場合とでは、判定の程度に自ずと差が生じると考えられるからである。
【０１６１】
なお、既述した担当者別グラフ検索画面３４１以外に検索画面として、パトローラが違反を発見した"場所"、"違反者"、"違反内容"、報告した"パトローラ"別に検索するようにすることもできる。
この場合、パトローラが違反を発見した"場所"、"違反者"、"違反内容"、報告した"パ
トローラ"別のグラフ結果表示画面を表示するようにする。そしてこれらの画面により、
危険性の高いと思われる行為の実施責任の所在を検証することが可能となる。
また、上記実施形態では、印刷部３９がブラウズされた点検データを含む情報を報告書として印刷することで出力していたが、報告書の内容をユーザが電子メールに添付して、ネットワーク経由で、パトローラの携帯用情報処理端末１に配信するようにしてもよい。報告書が添付された電子メールを現場担当のパトローラが直接入手することができるので、報告書の配布漏れ等を抑制することができる。なお、現場関係者の全員に配信するようにしてもよいことは勿論である。
その結果、現場関係者には現場での違反状況の是正を促し、パトローラには一層安全理の注意を喚起し、違反に起因する事故の発生を未然に防止することができる。
【０１６２】
＜コンピュータ読み取り可能な記録媒体＞
コンピュータその他の機械，装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実施させることにより、その機能を提供させることができる。
【０１６３】
ここで、コンピュータ等が読み取り可能な記録媒体とは、データやプログラム等の情報を電気的，磁気的，光学的，機械的または化学的作用によって蓄積し、コンピュータ等から読み取ることができる記録媒体をいう。
【０１６４】
このような記録媒体のうちコンピュータ等から取り外し可能なものとしては、例えばフレキシブルディスク、光磁気ディスク，ＣＤ−ＲＯＭ，ＣＤ−Ｒ／Ｗ，ＤＶＤ，ＤＡＴ，８ｍｍテープ，メモリカード等がある。
【０１６５】
また、コンピュータ等に固定された記録媒体としてハードディスクやＲＯＭ（リードオンリーメモリ）等がある。
【図面の簡単な説明】
【０１６６】
【図１】本発明に係る安全管理支援システムの全体概念図である。
【図２】本発明に係る安全管理支援システムの構成図である。
【図３】本発明に係る安全管理支援システムの論理相関図である。
【図４】本発明に係る安全管理支援システムにおけるサーバデータベースが有する各種テーブルを示す図である。
【図５】パトローラによって採取された点検データが、本システムにおいてどのように用いられ、かつ加工されてユーザに提供されるのかについて説明するためのフローチャートである。
【図６】携帯用情報処理端末の表示画面を構成するレイアウトの一例であって、点検データの収集にあたり、携帯用情報処理端末にインストールされている専用アプリケーションのタイトル画面を示す。
【図７】携帯用情報処理端末の表示画面を構成するレイアウトの一例であって、安全管理について違反のあった点検場所，エリア番号及び安全に関する点検事項につき行う評価を選択的に入力する画面を示す。
【図８】図７の入力終了後の登録画面を示す。
【図９】携帯用情報処理端末の表示画面を構成するレイアウトの一例であって、携帯用情報処理端末である携帯電話の番号を登録するための番号入力画面を示す図である。
【図１０】携帯用情報処理端末の表示画面を構成するレイアウトの一例であって、携帯用情報処理端末である携帯電話の番号を入力後、番号を登録するか又は修正するかをユーザに選択させる画面を示す図である。
【図１１】本発明に係る安全管理支援システムに含まれる携帯電話のモニタに表示される画面の遷移を示す図である。（ａ）図は図６〜図８までの遷移図であり、（ｂ）図は、図９から図１０を経てタイトル画面の図６に至るまでの遷移図である。
【図１２】本発明に係る安全管理支援システムに含まれるクライアントコンピュータのモニタに表示される画面の遷移図である。
【図１３】図１２に係る表示画面の一例であって、パトローラによるパトロール予定表を示す図である。
【図１４】パトロール予定表に入れられる情報をユーザが新規に登録又は編集するために必要事項を入力するための画面を示す図である。
【図１５】図１３のパトロール予定表をサーバデータベースに登録する前にユーザが確認するための図である。
【図１６】図１５の確認をユーザが行った後にパトロール予定表が基幹サーバのデータベースに登録されたことを表示する図である。
【図１７】重点目標を一覧にした表をカレンダー形式でクライアントコンピュータのモニタに表示する図である。
【図１８】重点目標情報をユーザが新規に登録及び編集するため、必要事項を入力するための画面を示す図である。
【図１９】図１８の重点目標情報をサーバデータベースに登録する前にユーザが確認するための図である。
【図２０】サーバデータベースに重点目標情報の登録が完了したことを表示する図である。
【図２１】サーバデータベースに登録されている点検パトロール報告書を検索するのに必要な事項を、ユーザが入力するための画面を示す図である。
【図２２】図２１の点検パトロール報告書の検索結果をクライアントコンピュータのモニタに表示する図であり、検索条件として年月日のみをユーザが入力すると表示される図である。
【図２３】サーバデータベースに登録されている点検パトロール報告書を、クライアントコンピュータのモニタでユーザが閲覧するために表示された図である。
【図２４】図２３に表示された点検パトロール報告書をユーザが編集するための図である。
【図２５】図２４で編集された点検パトロール報告書を基幹サーバのデータベースに登録する前にユーザが確認するための図である。
【図２６】図２５で確認された点検パトロール報告書が基幹サーバのデータベースに更新されたことを表示する図である。
【図２７】基幹サーバのデータベースからパトローラ別の判定内容の検索を行うためクライアントコンピュータのモニタに表示される図である。
【図２８】図２７の検索結果の内容をグラフで示す図である。
【図２９】ユーザ指定の条件で出力された統計データの内訳をグラフで示す図である。
【図３０】違反件数を出力するための条件入力用の検索画面を示す図である。
【図３１】図３０で示した条件で検索した違反件数を項目毎に出力表示する図である。
【図３２】業者別の違反ランキングをグラフで示すための必要事項入力用検索画面を示す図である。
【図３３】図３２に基づいてクライアントコンピュータのモニタにグラフで示す図である。
【符号の説明】
【０１６７】
１  携帯用情報処理端末
３  クライアントコンピュータ
４  ネットワーク
５  基幹サーバ
１１  有線ケーブル
１２  通信部
１３  制御部
１４  情報記憶部
１６  プログラム記憶部
１７  入力部
１８  モニタ
３２  通信部
３３  制御部
３４  情報記憶部
３６  プログラム記憶部
３７  入力部
３８  表示部
３９  印刷部
５２  通信部
５３  制御部（統計処理部，出力部）
５４  情報記憶部
５６  プログラム記憶部
３００  画面
３１１  一覧画面
３１１ａ  編集ボタン
３１１ｂ  表示ボタン
３１１ｃ  削除ボタン
３１１ｄ  出力ボタン
３１２  編集画面
３１２ａ  確認画面ボタン
３１２ｂ  選択ボタン
３１２ｃ  予定一覧画面へ戻るボタン
３１３  パトロール予定表確認画面
３１３ａ  この内容で確定するボタン
３１３ｂ  入力フォームへ戻るボタン
３１４  パトロール予定表完了画面
３１４ａ  予定表一覧画面へ戻るボタン
３１４ｂ  パトロール区分
３２１  重点目標カレンダー画面
３２１ａ  新規登録ボタン
３２１ｂ  更新ボタン
３２１ｃ  削除ボタン
３２１ｄ  更新ボタン
３２１ｅ  削除ボタン
３２１ｆ  登録・更新とある箇所
３２１ｇ  削除とある箇所
３２２  編集画面
３２２ａ  確認画面へボタン
３２２ｂ  編集画面トップへ戻るボタン
３２３  重点目標カレンダー確認画面
３２３ａ  この内容で確定するボタン
３２３ｂ  入力フォームへ戻るボタン
３２４  重点目標カレンダー完了画面
３２４ａ  編集画面トップへ戻るボタン
３３１  点検パトロール報告書検索画面
３３１ａ  この条件で選択するボタン
３３２  点検パトロール報告書検索結果一覧画面
３３２ａ  表示ボタン
３３２ｂ  削除ボタン
３３３  点検パトロール報告書画面
３３３ａ  編集ボタン
３３３ｂ  削除ボタン
３３３ｃ  検索結果一覧へ戻るボタン
３３３ｄ  出力ボタン
３３４  点検パトロール報告書編集画面
３３４ａ  選択ボタン
３３４ｂ  入力部
３３４ｃ  確認画面へボタン
３３４ｄ  報告書画面へ戻るボタン
３３５  点検パトロール報告書確認画面
３３５ａ  この内容で確定するボタン
３３５ｂ  ボタン
３３６  点検パトロール報告書完了画面
３３６ａ  入力フォームへ戻るボタン
３４１  担当者別グラフ検索画面
３４１ａ  この条件で検索するボタン
３４２  担当者別グラフ結果表示画面
３４２ａ  検索フォームへ戻るボタン
３４２ｂ  内訳ボタン
３４３  担当者別グラフ内訳出力画面
３４３ａ  結果一覧へ戻るボタン
３４４  業者別違反件数検索画面
３４４ａ  この条件で検索するボタン
３４５  業者別違反件数検索結果画面
３４５ａ  出力ボタン
３４５ｂ  検索フォームへ戻るボタン
３４６  業者別違反ランキング検索画面
３４６ａ  この条件で検索するボタン
３４７  業者別違反ランキング結果表示画面
３４７ａ  検索フォームへ戻るボタン
５４１  パトロールテーブル
５４２  パトロール明細テーブル
５４３  スケジュールテーブル
５４４  重点目標テーブル
５４５  所属グループマスタテーブル
５４６  違反連絡先マスタテーブル
５４７  パトローラ・マスタテーブル
５４８  違反項目マスタテーブル
５４９  違反種別マスタテーブル
５５０  パトロール区分マスタテーブル
【図１】
2009015669.tif 000003
【図２】
2009015669.tif 000004
【図３】
2009015669.tif 000005
【図４】
2009015669.tif 000006
【図５】
2009015669.tif 000007
【図６】
2009015669.tif 000008
【図７】
2009015669.tif 000009
【図８】
2009015669.tif 000010
【図９】
2009015669.tif 000011
【図１０】
2009015669.tif 000012
【図１１】
2009015669.tif 000013
【図１２】
2009015669.tif 000014
【図１３】
2009015669.tif 000015
【図１４】
2009015669.tif 000016
【図１５】
2009015669.tif 000017
【図１６】
2009015669.tif 000018
【図１７】
2009015669.tif 000019
【図１８】
2009015669.tif 000020
【図１９】
2009015669.tif 000021
【図２０】
2009015669.tif 000022
【図２１】
2009015669.tif 000023
【図２２】
2009015669.tif 000024
【図２３】
2009015669.tif 000025
【図２４】
2009015669.tif 000026
【図２５】
2009015669.tif 000027
【図２６】
2009015669.tif 000028
【図２７】
2009015669.tif 000029
【図２８】
2009015669.tif 000030
【図２９】
2009015669.tif 000031
【図３０】
2009015669.tif 000032
【図３１】
2009015669.tif 000033
【図３２】
2009015669.tif 000034
【図３３】
2009015669.tif 000035